(57)【要約】【課題】海浜や山間部の近くの家屋において、雨樋の中に堆積した砂や火山灰、土類を、放水によって強制的に流出させて雨樋内を自動的に掃除する雨樋内の砂類流出構造を提供する。【解決手段】雨樋カバー３付き雨樋４内に堆積する砂類を、前記カバー付き雨樋４内に配置する放水可能な放水パイプ５を介して強制的に且自動的に流出清掃せしめる。また、前記放水パイプ５に、屋外に設置されている水道の蛇口９もしくは揚水ポンプ１６を接続せしめる。【選択図】       図１
2009068283.tif 000002
【特許請求の範囲】
【請求項１】
雨樋カバー付き雨樋内に堆積する砂類を、前記カバー付き雨樋内に配置する放水可能な放水パイプを介して強制的に且自動的に流出清掃せしめることを特徴とする雨樋内の砂類流出構造。
【請求項２】
前記放水パイプに、屋外に設置されている水道の蛇口もしくは揚水ポンプを接続せしめることを特徴とする請求項１に記載した雨樋内の砂類流出構造。
【請求項３】
前記雨樋カバー付き雨樋内に、放水可能な放水パイプの先端部に噴射口部を配置し、前記雨樋の中に堆積する砂類を、前記放水パイプから噴射口部へと放水される水の水圧によって強制的に且自動的に流出せしめ雨樋内を清掃することを特徴とする請求項１又は同２に記載の雨樋内の砂類流出構造。
【請求項４】
前記雨樋が水平状に取着されているときは、前記放水パイプの先端部の噴射口部を、前記雨樋の中央部に設置せしめることを特徴とする請求項１又は同２又は同３に記載の雨樋内の砂類流出構造。
【請求項５】
前記雨樋が傾斜状に設置されているときは、前記放水パイプの先端部の噴射口部を前記雨樋の上方部に設置せしめることを特徴とする請求項１又は同２又は同３又は同４記載に雨樋内の砂類流出構造。
【請求項６】
放水パイプの先端部の噴射口部は、雨樋内の底部に位置するように設置されていることを特徴とする請求項１又は同２又は同３又は同４又は同５に記載の雨樋内の砂類流出構造。
【請求項７】
前記放水パイプの先端部の噴射口部は、Ｔ字状に形成されて雨樋の長手方向に配置され、当該雨樋の長手方向にして、且左右両方向に対して、水道水等が放水自在に構成されていることを特徴とする請求項１又は同２又は同３又は同４又は同５又は同６に記載の雨樋内の砂類流出構造。
【請求項８】
前記放水パイプの先端部に噴射口部を設ける砂類流出構造は、雨樋の複数個所に設置することを特徴とする請求項１又は同２又は同３又は同４又は同５又は同６又は同７に記載の雨樋内の砂類流出構造。
【請求項９】
前記放水パイプと該放水パイプの先端部に取着の噴射口部は、耐久性及び耐触性を有する資材からなることを特徴とする請求項１又は同２又は同３又は同４又は同５又は同６又は同７又は同８に記載の雨樋内の砂類流出構造。
【発明の詳細な説明】
【技術分野】
【０００１】
本発明は、特に海浜や山間部の近くの家屋において、雨樋の中に堆積した砂や火山灰、土類を、放水によって強制的に流出させて雨樋内を自動的に掃除する雨樋内の砂類流出構造の技術分野に関する。
【背景技術】
【０００２】
雨樋は、通常その上部が開口状になっており、当該上方開口部から落ち葉や砂やゴミが集積し、ヘドロ状態の汚泥になっている。
【０００３】
さらに、雨樋は、施工方法として水平状に取着するか、もしくは傾斜状に取着されていた。
【０００４】
従って、雨樋が水平状に取着施工されているときは、雨水のみが排出し、雨樋の底部に砂類が堆積し、堆積している砂類を除去するのに、梯子を掛け、人の手もしくは棒等を介して取出し清掃していた。
【０００５】
また、雨樋が傾斜状に取着施工されているときは、傾斜状の雨樋の下方部に砂類が堆積していた。
【０００６】
さらに、従来から施行されてきた落ち葉が溜る雨樋は、どのハウスメーカーも共通の悩みの種であった。
【０００７】
そこで、本件特許出願人は、前記雨樋カバー（特願２００６−１３３９５６号）内に、落ち葉が前記雨樋内に溜るのを防止した発明を出願している。従って、従来の雨樋カバーを付けなかった雨樋と異なり、雨樋内に溜った落ち葉を取り除くために、梯子をかけて登って、一々手もしくは除去具を介して落ち葉の除去作業をしたり、あるいは屋根の上にあがって雨樋内の落ち葉を除去する必要がなくなった。
【０００８】
さらに、前記雨樋に雨樋カバーを付した、いわゆる雨樋カバーに完全な製品が出現しなかった大きな理由は、雨樋カバーを設置しても穴より砂や泥が入り、前記の砂や泥を確実に流出除去するという問題点が解決しないために、大々的に雨樋カバーとして市販することが不可能であった。
【０００９】
また、前記雨樋カバーは、雨樋カバーを通して雨樋内に入った砂類を除去するのに前記雨樋カバーを取り外さなければならなかった。この様な煩雑な作業が必要であれば、むしろカバーはないほうが良いとするのが現状であった。
【００１０】
さらに、雨水の水利用を考えると、研究資料には屋根３．３ｍ２あたり年間５ｔもの降水量があり、さらに最近は地球温暖化の影響で降水量は多く、２１世紀は水の世紀といわれている。従って今後、雨樋カバー及び雨樋清掃構造の分野は、雨水の利用とともに大いに、開発しなければならない分野である。
【００１１】
また、実用新案登録第３１２１２９５号公報には、建物等の軒樋において雨水が流れる底面が平面状の角樋や半円状の丸樋等の底面や側面に流れ方向と同じ方向に突起をつけた樋が開示されている。
【特許文献１】実用新案登録第３１２１２９５号登録公報
【発明の開示】
【発明が解決しようとする課題】
【００１２】
上述した実用新案登録第３１２１２９５号公報に記載の軒樋は、突起が形成され、その突起によって土砂類を分割・軽量化するが、当該土砂類を全て流出し雨樋内をきれいに掃除できるか疑問である。さらに、当該突起を形成する手間や製造コストもかかる。
【００１３】
しかるに、本発明が解決しようとする課題は以下のとおりである。
【００１４】
第１に、本発明が解決しようとする課題は、一旦木の葉や塵埃等が入らないように雨樋にセットした取外しができない蓋付きの雨樋の中に堆積した砂類を、水道水もしくは揚水ポンプ等を使用して前記雨樋内に放水せしめ、強制的に流出させて雨樋内を自動的に必要に掃除（メンテナンス）して、従来タイプの雨樋の掃除のように梯子等をかけて、手作業で堆積砂類を除去する作業を解消せしめた。
【００１５】
第２に、本発明が解決しようとする課題は、本発明の砂類流出構造を、雨樋内に所定の間隔おきに予め設置しておくことによって、放水パイプの下方基端部と水道水のホースもしくは揚水ポンプのホースとを接続させるだけの簡単な操作で、蓋付き雨樋内に堆積中の砂類等を極めて簡単且迅速に縦樋内に排出せしめるようにした。
【００１６】
第３に、本発明が解決しようとする課題は、前記のように雨樋内に砂類が短期間で堆積する砂浜を有する海辺地域もしくは、風強く火山灰や田畑の多い農村地域などの家屋等に設置されている雨樋内を、常時きれいに清掃をしておくようにした。
【００１７】
第４に、本発明が解決しようとする課題は、前記放水パイプの先端部に形成の噴射口部の左右両サイドが、雨樋の長手方向に向いているので、水道水等が放出されると、堆積中の砂類を極めて短時間で流出せしめるようにした。
【００１８】
第５に、本発明が解決しようとする課題は、前記放水パイプと、該パイプの先端部に形成の噴射口部とを、雨樋を取付けている取付け金具が傾斜状タイプのものでも高所部分に設置しておくことによって、堆積中の砂類を自動的にして、且強制的に流出せしめることができるようにした。
【００１９】
第６に、本発明が解決しようとする課題は、本発明の雨樋内の砂類流出構造を雨樋内にセットすることによって、年に春と秋の２回、１〜２分間水道水等を流出するだけで十分砂類を流出せしめるようにした。
【００２０】
第７に、本発明が解決しようとする課題は、本発明の雨樋内の砂類流出構造を、耐久性もしくは耐蝕性にも優れた資材を使用して、製品の寿命を著しく長くした。
【課題を解決するための手段】
【００２１】
上記課題を解決するための手段として、請求項１記載の発明は、雨樋カバー３付き雨樋４内に堆積する砂類を、前記カバー付き雨樋４内に配置する放水可能な放水パイプ５を介して強制的に且自動的に流出清掃せしめる雨樋内の砂類流出構造である。
【００２２】
請求項２記載の発明は、前記放水パイプ５に、屋外に設置されている水道の蛇口９もしくは揚水ポンプ１６を接続せしめる請求項１に記載した雨樋内の砂類流出構造である。
【００２３】
請求項３記載の発明は、前記雨樋カバー３付き雨樋４内に、放水可能な放水パイプ５の先端部に噴射口部７を配置し、前記雨樋４の中に堆積する砂類を、前記放水パイプ５から噴射口部７へと放水される水の水圧によって強制的に且自動的に流出せしめ雨樋４内を清掃する請求項１又は同２に記載の雨樋内の砂類流出構造である。
【００２４】
請求項４記載の発明は、前記雨樋４が水平状に取着されているときは、前記放水パイプ５の先端部の噴射口部７を、前記雨樋の中央部に設置せしめる請求項１又は同２又は同３に記載の雨樋内の砂類流出構造である。
【００２５】
請求項５記載の発明は、前記雨樋４が傾斜状に設置されているときは、前記放水パイプ５の先端部の噴射口部７を前記雨樋の上方部に設置せしめる請求項１又は同２又は同３又は同４に記載の雨樋内の砂類流出構造である。
【００２６】
請求項６記載の発明は、放水パイプ５の先端部の噴射口部７は、雨樋４内の底部４ａに位置するように設置されている請求項１又は同２又は同３又は同４又は同５に記載の雨樋内の砂類流出構造である。
【００２７】
請求項７記載の発明は、前記放水パイプ５の先端部の噴射口部７は、Ｔ字状に形成されて雨樋４の長手方向に配置され、当該雨樋４の長手方向における左右両方向に対して、水道水等が放水自在に構成されている請求項１又は同２又は同３又は同４又は同５又は同６に記載の雨樋内の砂類流出構造である。
【００２８】
請求項８記載の発明は、前記放水パイプ５の先端部に噴射口部７を設ける砂類流出構造は、複数個所に設置する請求項１又は同２又は同３又は同４又は同５又は同６又は同７に記載の雨樋内の砂類流出構造である。
【００２９】
請求項９記載の発明は、前記放水パイプ５と該放水パイプ５の先端部に取着の噴射口部７は、耐久性及び耐触性を有する資材からなる請求項１又は同２又は同３又は同４又は同５又は同６又は同７又は同８に記載の雨樋内の砂類流出構造である。
【発明の効果】
【００３０】
請求項１の本発明は、雨樋カバー付き雨樋内に堆積する砂類を、前記カバー付き雨樋内に配置する放水可能な放水パイプを介して強制的に且自動的に流出清掃せしめる雨樋内の砂類流出構造なので、前記雨樋の中に堆積した砂や細かいほこり、火山灰、土等が、前記放水パイプの先端に形成の噴射口部から放水される水の水圧によって強制的に流出され、雨樋の中に堆積した砂や土類を掃除でき、雨樋本来の機能を常時維持できる利便性に優れている。
【００３１】
請求項２の本発明は、前記放水パイプに、屋外に設置されている水道の蛇口もしくは揚水ポンプを接続せしめたので、請求項１に記載の発明の効果と同じ効果を有している。
【００３２】
さらに本発明は、水道の蛇口もしくは揚水ポンプの水圧を強くしたり、弱目にしたりが自在に調節することができるため、雨樋内に堆積する砂類をきれいに流出清掃せしめることができる。
【００３３】
請求項３の本発明は、前記雨樋カバー付き雨樋内に、放水可能な放水パイプの先端部に噴射口部を配置し、前記雨樋の中に堆積する砂類を、前記放水パイプから噴射口部へと放水される水の水圧によって強制的に且自動的に流出せしめ雨樋内を清掃する雨樋内の砂類流出構造なので、前記請求項１又は同２に記載の発明と同じ効果を有している。
【００３４】
請求項４の本発明は、前記雨樋が水平状に取着されているときは、前記放水パイプの先端部の噴射口部を、前記雨樋の中央部に設置せしめる雨樋内の砂類流出構造なので、請求項１又は同２又は同３に記載の発明の効果と同じ効果を有している。
【００３５】
請求項５の本発明は、前記雨樋が傾斜状に設置されているときは、前記放水パイプの先端部の噴射口部を前記雨樋の上方部に設置せしめる雨樋内の砂類流出構造なので、前記請求項１又は同２又は同３又は同４に記載の発明と同じ効果を有している。
【００３６】
請求項６記載の発明は、放水パイプの先端部の噴射口部は、雨樋内の底部に位置するように設置されている雨樋内の砂類流出構造なので、放水パイプの先端部の噴射口部が雨樋内の底部に位置するように設置されている。そのため雨樋内に堆積した砂や土類に対して、前記放水パイプから放水される水が確実に砂類に当接され、その水圧によって強制的に流出して掃除できる効果を有する。      
【００３７】
さらに、本発明は、前記請求項１又は同２又は同３又は同４又は同５に記載の発明の効果と同じ効果を有している。
【００３８】
請求項７の本発明は、放水パイプの先端部の噴射口部がＴ字状に形成されて雨樋の長手方向に配置され、当該雨樋の長手方向における左右両方向に対して水道水が放水されるので、雨樋内に点在する砂類に対して、Ｔ字状先端部から左右両方向に放水される水が確実に砂類に当接して流し出し、雨樋の機能維持に貢献する。
【００３９】
さらに、本発明は、前記請求項１又は同２又は同３又は同４又は同５又は同６に記載の発明の効果と同じ効果を有している。
【００４０】
請求項８記載の発明は、前記放水パイプの先端部に噴射口部を設ける砂類流出構造を、複数個所に設置する雨樋内の砂類流出構造なので、雨樋内に堆積している砂類等を短時間で噴射し続けている放水によって雨樋の底部から縦樋へと流出し雨樋内をきれいに清掃できる利点を有している。
【００４１】
さらに、本発明は、前記請求項１又は同２又は同３又は同４又は同５又は同６又は同７記載の発明の効果と同じ効果を有している。
【００４２】
請求項９記載の発明は、前記放水パイプと該放水パイプの先端部に取着の噴射口部を、耐久性及び耐蝕性を有する資材からなる雨樋内の砂類流出構造なので、長期間にわたり破損のおそれがなく、安心、且安全に設置出来る利点を有している。
【００４３】
さらに、本発明は、前記請求項１又は同２又は同３又は同４又は同５又は同６又は同７又は同８に記載の発明の効果と同じ効果を有している。
【発明を実施するための最良の形態】
【００４４】
本発明に係る雨樋内の砂類流出構造ａの好適な実施形態を、以下図面にしたがって説明する。なお、屋根１下方部の軒先２に取着する雨樋４の中に落ち葉等が入り込まないように、この砂類流出構造が設置される雨樋４の上方部に、雨樋カバー３を取り付ける。
【００４５】
当該砂類流出構造ａは、雨樋４の中に堆積した砂、細かいほこり、火山灰や土等（以下、砂類という。）を、放水によって強制的に流出させ、雨樋４のメンテナンスを行うものであり、雨樋４の設置と同時に設置できるほか、後付け使用もできる。
【００４６】
図１は、当該雨樋４内に砂類流出構造ａを設置した全体形状を示す図である。
【００４７】
この砂類流出構造ａは、基本的には水道水を供給する構造として、家屋近傍の地上に設置されている水道の蛇口１０に、パイプ１２が接続され、このパイプ１２と水道水を放水可能な放水パイプ５の下方端部９が接続されている。
【００４８】
そして、前記放水パイプ５の先端部６に噴射口部７を形成する。
【００４９】
さらに、本発明の前記放水パイプ５は、前記噴射口部７と水道の蛇口１０との間は、長いパイプ材と継手１３とから構成されている。１４は前記蛇口１０の取付けぶである。前記蛇口１０の水圧は強弱自在調節ができる。
【００５０】
また、本発明は、前記水道の蛇口１０を使用する手法の外に、タンク１５に揚水ポンプ１６を挿入し、前記ポンプ１６に小ホース１７を接続し、前記放水パイプ５の下方端部９と接続せしめ、前記雨樋４内の砂類８を水道水と同様に流出せしめても良い。前記揚水ポンプ１６も、水圧の強弱を自在に調節できる
【００５１】
前記放水パイプ１５は、水道の蛇口１０から複数の継手１３を介して、屋根１の軒先２に設置された雨樋４に到達する長さに形成されており、家屋に沿って上昇するように配設され、その上方部５ａが軒先２に対して、保持具２０で保持しつつ止め具２１・・・で固定される。
【００５２】
そして、放水パイプ５の上方部５ａは、逆Ｖ字状に折曲された継手１３ａに接続され、その逆Ｖ字状継手１３ａの他端を雨樋４の中に臨み同雨樋４の底部４ａへと導く短い導入パイプ５ｂが接続されている。
【００５３】
前記導入パイプ５ａの先端部６の噴射口部７は以下の構成からなっている。即ち前記噴射口部７は、継手等によりＴ字状に形成され、左側放水口４０と右側放水口４１を備えている。よって、当該噴射口部７は左側放水口４０と右側放水口４１が、雨樋４内の底部４ａに位置する配置で、且つ雨樋４の長手方向ｐに向くように配置されており、雨樋４の長手方向ｐにおける左右両方向ｓ、ｔに対して、前記左右の放水口４０、４１から水道水が各々放水自在に構成されている。
【００５４】
したがって、雨樋４の中に堆積した砂類８を掃除するには、水道の蛇口１０のハンドルをひねって開栓するだけで、前記放水パイプ５の先端部６の噴射口部７から放水される水道水の水圧によって簡単に流出される。
【００５５】
当該放水パイプ５からの放水は、通常、年に２回、１〜２分程度で足りるものである。よって、このような簡単なメンテナンスで、雨樋本来の機能を常時維持することができる。
【００５６】
なお、上記のように当該砂類流出構造で使用される放水用の水は、家屋の近傍に設置してある水道から引く水道水を通常使用するが、この水道水に限定される訳ではない。
【００５７】
また、図１、５に示したような傾斜する軒先２においては、当該軒先２と、雨樋４を受容する樋受本体２２との間で介在される傾斜状取付け金具２３を、止め具２１により軒先２に取り付ければ、当該傾斜状取付け金具２３を利用して、上記放水パイプ５を容易に配設することができる。
【００５８】
さらに、前記蛇口１０もしくは揚水ポンプ１６は、前記蛇口１０については、つまみの開閉を調節すれば、水圧の強弱も自在に調節できる。そのため、前記雨樋４内に大量の砂類が大きな山となって堆積しているときは、水圧を強くすれば大量の砂類はたちまちにしてきれいに流出させることができる。
【００５９】
また、揚水ポンプ１６においても、前記水道水の蛇口１０と同様に内蔵中モーターの回転数をアップすれば水圧の強弱が調節できる。そのため、前記蛇口１０と同じ放水効果が期待できる。
【図面の簡単な説明】
【００６０】
【図１】本発明雨樋内の砂類流出構造を家屋と雨樋に取着した状態の一部切欠縦断面図である。
【００６１】
【図２】同構造の放水パイプに屋外に設置されている水道水を送水する蛇口と放水パイプとの接続状態を示す図である。
【００６２】
【図３】同構造の放水パイプに揚水ポンプと接続しタンク内の貯水を放水パイプに送水する一部切欠正面図である。
【００６３】
【図４】同構造を雨樋の複数個所に設けた正面図である。
【００６４】
【図５】同構造を屋根の軒先に取着せしめた雨樋内にセットした状態の一部切欠拡大縦断面図である。
【００６５】
【図６】同構造を雨樋内にセットし放水パイプを介して送水された水が雨樋内に堆積中の砂類を流出せしめている状態を示す一部切欠斜視図である。
【符号の説明】
【００６６】
ａ        砂類流出構造
１        屋根
２        軒先
３        雨樋カバー
４        雨樋
４ａ      底部
５        放水パイプ
５ａ      導入パイプ
５ｂ      短い導入パイプ
６        先端部
７        噴射口部
８        砂類
９        下方端部
１０      蛇口
１２      パイプ
１３      継手
１３ａ    継手
１４      取り付け部
１５      タンク
１６      揚水ポンプ
１７      小ホース
２０      保持具
２１      止め具
２２      樋受本体
２３      取付け金具
４０      左側放水口
４１      右側放水口
ｐ        長手方向
ｓ        左方向
ｔ        右方向
【図１】
2009068283.tif 000003
【図２】
2009068283.tif 000004
【図３】
2009068283.tif 000005
【図４】
2009068283.tif 000006
【図５】
2009068283.tif 000007
【図６】
2009068283.tif 000008